(57)【要約】      （修正有）【課題】漏電ブレーカーで複数電気回路に起こり得る故障の測定装置を回路別に挿入し、測定結果で故障回路を自動選択遮断する故障点検出測定制御装置を提供する。【解決手段】工場の設備用メーンブレーカーの、出入口端子ターミナルを設けた配線に備えた電流計センサー４と、電流計センサー４に備えた変換器５と、変換器５の信号で制御するシーケンサー６と、シーケンサー６より制御用上下限値を設定するタッチパネル７と、制御用上下限値を再びシーケンサー６に入力した結果、シーケンサー６が出力した信号を切り替えるための３点セレクトスイッチ８とを有する。【選択図】図１
0003220054.tif 000002
【実用新案登録請求の範囲】
【請求項１】
既設電気回路の不具合回路調査するために既設配線のブレーカー下に本考案を挿入する、この挿入配線にセンサーを取り付け、この信号を変換器に入れ、さらに変換器よりシーケンサーに入れた後にタッチパネルに出力して、タッチパネル内で管理上下限値を設定し、この信号を再度シーケンサーに出力し、この信号でマグネットリレーをＯＮ，ＯＦＦさせ調査上下限値で不具合回路を自動的に遮断する事ができる故障点検出測定制御装置。
【請求項２】
前記回路のシーケンサーよりセンサーの測定値をレコーダーで長時間モニターすることで、偶発的に発生する不具合現象を確認することができる請求項１の故障点検出測定制御装置。
【請求項３】
請求項１を数セット、コンパクトにして調査対象工場に運び、現場状況で多数有る回路別に取り付け効率よく不具合回路を自動検出し停止できる故障点検出測定制御装置。
【請求項４】
請求項１の回路出口に、調査回路が電灯回路の場合は電灯回路用増設トランスを、また動力回路の場合は動力回路用増設インバーターを設ける事で、漏電等でトリップするブレーカーをトリップしない状態で回路調査ができる、更にマグネットリレー入口に別の発電機を配線して、別電源として不具合回路の調査用電源として使用できる、これらは３点セレクトスイッチで自動、手動、切断として使用回路を選択でき安全に調査作業ができる故障点検出測定制御装置。
【請求項５】
請求項１のセンサーに電圧計、回転計、振動計、温度計等種々のセンサーに付け替える事で、必要項目で回路診断と不具合回路の切断ができる故障点検出測定制御装置。
【考案の詳細な説明】
【技術分野】
【０００１】  本考案は既存の漏電ブレーカー以下で複数電気回路に起こり得る故障に測定装置を回路別に挿入し、測定結果で故障回路を自動選択遮断する装置に関する。
【背景技術】
【０００２】  従来多くの電気設備はメーンの漏電ブレーカーの後に多くの分岐回路が設置されている、これらの回路は直接負荷が接続されているので、故障が発生するとメーンの漏電ブレーカーが遮断し、全設備を停止した状態で原因を調査する必要が有った。【０００３】  老朽化した設備では、知らない間に経年劣化が進行し、環境条件で過渡現象的に故障が発生し、感電事故、漏電火災等の災害の原因と成る、更に偶発的故障では故障要因を追跡改修が難しい。【０００４】  従来の修理調査はテスター・絶縁抵抗計・漏電電流測定器等で各配線や端子間を調査して原因を追及する事が多かったが、故障が発生する環境は、高温多湿で高所・高騒音と調査技術者の負担も多く、断続的に発生するトラブルには的確な対応が不可能であった。
【先行技術文献】
【特許文献】
【０００５】
【特許文献１】特開２０００−２７５２９３
【特許文献２】特開２００４−３１７１６４
【特許文献３】特開２００６−１６４７８７
【非特許文献】
【０００６】
【非特許文献１】低圧絶縁監視装置ＩＧＲ−１０（別紙  ミドリ安全）
【考案の概要】
【考案が解決しようとする課題】
【０００７】  従来の工場等の電気配線はメーンの漏電ブレーカーから、多くの回路に分岐されている為に、分岐回路のどこかで漏電し漏電ブレーカーが遮断すると、漏電個所がどこか調べる為に、多くのテスターを使用して、漏電個所を特定し修理する必要が有り、この間は全設備が停止する事で生産も中止、更に従業員の仕事が無くなり多くの無駄が発生する。【０００８】  偶発的に発生する故障については、経験豊富な作業者がテスターを持って高温や高騒音の悪環境の中で故障が再発するまで作業を続けなければならない。【０００９】  本考案の故障点  検出測定制御装置を設置しても、工場には多くの回路が使用されている為に、一回路単位で制御しても、多く有る回路を点検し不具合回路を発見するのに多くの時間を要する、更にいつ漏電して感電事故に成るか、高温・高騒音の劣悪な環境で長時間の調査が必要になる。【００１０】  検出された不具合回路を調査する為には、メーンブレーカーを入切しながら調査する為に、工場全体が停止しなければならな為に、生産が停止し作業者の作業が無くなり、多くの無駄が発生する。【００１１】  回路の不具合は漏電だけではなく、異常電圧、異常回転、異常振動、異常温度、と言った異常が発生し設備停止の原因となる。
【課題を解決するための手段】
【００１２】  本考案では、上記課題を解決する為に、故障点検出測定制御装置を既設配線のブレーカー下に挿入配線する、この故障点検出測定制御装置は挿入接続した配線にセンサーを取り付ける、このセンサーの信号を変換器に入れ、変換された信号をシーケンサーに入れる、この信号はシーケンサー内で長時間記録する一方、タッチパネルに出力する、タッチパネルに入力された信号はタッチパネルで管理上下限を設定され、再度シーケンサーに出力され、シーケンサー内よりマグネットリレーを制御する信号として出力され、設定された管理上下限で既設配線回路を自動遮断する事で、不具合回路を遮断し調査修理可能となる。【００１３】  悪環境、危険な作業環境の中での長時間作業を解消する為に、シーケンサーから出る信号をレコーダーで長時間記録し、この記録を見直し解析する事ができる。【００１４】  本考案の故障点検出測定制御装置を数セット縮小し軽量化して持ち歩く事で数回路有る工場の不具合回路を短時間で自動検出する。【００１５】  工場全体を停止せずに、検出された回路のみを調査する為に、不具合の有った回路の故障点検出測定制御装置と不具合回路間に電灯回路の場合はトランスを設け、動力回路にインバーターを設け更に別回路で発電機を接続する事で、不具合回路を回復するために、実質的な別電源を作る、この切換えはマグネットリレーとシーケンサー間に３点セレクトスイッチで切り替える回路を選択し、他の回路は可動させながら調査修理する。【００１６】  回路の不具合は漏電だけでなく、センサーの部分に電圧計、回転計、振動計、温度計等の、不具合状況により必要なセンサーを取り付けシーケンサーに信号を供給する事で色々な不具合調査にも使用する。
【考案の効果】
【００１７】  以上説明したように多くの分岐回路を持つ工場で、本考案の故障点検出測定制御装置を分岐回路毎に設置する事でセンサー４の信号を変換器５にいれ、この信号をシーケンサー６更に送信し、これをさらにタッチパネル７に送信してここで管理上下限値を設定する、これを再度シーケンサー６に送信して、この値でシーケンサー６よりマグネットリレー８を制御して、不具合回路だけを遮断する事で他の多くの回路を可動したまま生産作業が続けられる、更に自動切断された回路を調査修理する事ができる。【００１８】  従来は故障をテスターで現象を最悪高温、高温、高騒音等の悪環境の中で確認しながら、経験で故障個所の特定をしていたが、長時間記録する事で、発生状況がデーターの見直しや遠隔地での把握ができ、経験値だけで無くシーケンサーに記憶したデーターを再確認して原因を特定でき、早い修理と悪環境の中での長時間作業が解消される。【００１９】  本考案を数セットまとめ軽量化収納する事で、一度に多くの回路の不具合回路を自動検出遮断する事ができ、不具合回路以外での生産が続行でき、全設備停止による生産停止や作業者の手待ちを防止できると共に漏電による感電災害や高温・高騒音下での過酷な作業環境下での作業を軽減できる。【００２０】  自動遮断された回路と本考案の出口間に、電灯回路の場合はトランスを設ける事で、トランスを通している為に漏電しても、元のブレーカーが切れる事無く不具合回路を調査できる、更に動力回路にはインバーターを入れ変圧をしてモーターの回転を変化させ現象を再現できる、更にマグネットリレーの入り口に発電機を接続する事で、それぞれに別電源として供給する事で工場と分離した形で修理が可能となる。これらは３点セレクトスイッチで自動検出回路、手動回路、回路切りと切換えられ、安全に作業ができる。【００２１】  本考案は回路不具合には漏電だけでなく電圧、回転、振動、温度等色々な不具合が発生する為に、不具合に応じてセンサーの種類を交換するだけで、色々な解析ができ不具合の早期発見に役立つ。
【図面の簡単な説明】
【００２２】
【図１】本考案の全体回路図面の原理図である
【図２】本考案の多数回路の敷設図である。
【図３】本考案を敷設する為の既設電気回路図である。
【考案を施すための形態】
【００２３】以下、この考案の形態について図面を参照して詳しく説明する。
【実施例１】
【００２４】既設配線入口１と既設配線出口３間に挿入配線２を配線する、この挿入配線２にはセンサー４を取り付る、このセンサー４からの信号をセンサー変換器５に入れる、センサー変換器５よりシーケンサー６に入力する、この信号を更にタッチパネル７に出力し、ここでモニターしながら管理上下限を設定後再度シーケンサー６に出力する、シーケンサー６内でマグネットリレー９の入り切りをコントロールし、管理上下限値で不良と判断した既設配線を自動で切り離し、調査回路として分離する事のできる故障点検出測定制御装置。
【実施例２】
【００２５】実施例１のシーケンサー６よりセンサー４信号を同時にモニターし偶発的に発生する不具合を経験や勘に頼らずに検出できる故障点検出測定制御装置。
【実施例３】
【００２６】実施例２を数セット小型軽量化した物を、工場に持ち込みセットし、各回路を同時モニターし不具合回路を自動検出停止する事のできる故障点検出測定制御装置。
【実施例４】
【００２７】実施例３の挿入配線２と既設配線出口３の間に、電灯回路には電灯回路用増設トランス１２を、動力回路には動力回路用インバーター１３を挿入する更にマグネットリレー９の入り口に選択送電電源装置１４を接続する事で同一回路に別電源を設ける事ができる、これらの挿入は３点セレクトスイッチ８でシーケンス６での制御と制御電源１０での制御更に電源切りをコントロールする故障点検出測定制御装置。
【実施例５】
【００２８】実施例１のセンサー４の種類を電圧計、回転計、振動計、温度計、等必要の応じて付け替える事ができる。
【符号の説明】
【００３０】１    既設配線入口
２    挿入配線
３    既設配線出口
４    センサー
５    センサー変換器
６    シーケンサー
７    タッチパネル
８    ３点セレクトスイッチ
９    マグネットリレー
１０  制御用電源
１１  調査対象回路
１２  電灯回路用増設トランス
１３  動力回路用増設インバーター
１４  選択送電電源装置
【図１】
0003220054.tif 000003
【図２】
0003220054.tif 000004
【図３】
0003220054.tif 000005
【手続補正書】
【提出日】平成30年8月31日(2018.8.31)
【手続補正１】
【補正対象書類名】実用新案登録請求の範囲
【補正対象項目名】全文
【補正方法】変更
【補正の内容】
【実用新案登録請求の範囲】
【請求項１】
工場の設備用メーンブレーカーの、出入口端子ターミナルを設けた配線に電流計センサーを備え、そのセンサーに変換器を備え、この変換器の信号で制御するシーケンサーを備え、このシーケンサーより制御用上下限値を設定するタッチパネルを備え、この値を再度シーケンサーに入力し、更にこのシーケンサーより出力した信号を、シーケンサー後の信号切り替え用の３点セレクトスイッチを備え、上記の組み合わせを１セットとした事を特徴とした、故障点検出測定制御装置。
【請求項２】
前記請求項１のシーケンサーより出力した電流計の測定値を記録するレコーダーを備えたことを特徴とする、請求項１の故障点検出測定制御装置。
【請求項３】
前記故障点検出測定制御装置の変換器を数セットまとめたことを特徴とする請求項１に記載の故障点検出測定制御装置。
【請求項４】
前記回路出口のシーケンサー出力に３点セレクトスイッチで、自動、手動、切断として使用回路を選択できることを特徴とする請求項１に記載の故障点検出測定制御装置
【請求項５】
前記電流計を電圧計、回転計、振動計、温度計等のセンサーへ付け替える事を特徴とする請求項１に記載の故障点検出測定制御装置。
【手続補正書】
【提出日】平成30年11月20日(2018.11.20)
【手続補正１】
【補正対象書類名】実用新案登録請求の範囲
【補正対象項目名】全文
【補正方法】変更
【補正の内容】
【実用新案登録請求の範囲】
【請求項１】
工場の設備用メーンブレーカーの、出入口端子ターミナルを設けた配線に備えた電流計センサーと、前記電流計センサーに備えた変換器と、前記変換器の信号で制御するシーケンサーと前記シーケンサーより制御用上下限値を設定するタッチパネルと前記制御用上下限値を再び前記シーケンサーに入力した結果、前記シーケンサーが出力した信号を切り替えるための３点セレクトスイッチとを有することを特徴とする故障点検出測定制御装置。
【請求項２】
前記シーケンサーから出力された電流計の測定値を記録するレコーダーをさらに備えたことを特徴とする、請求項１に記載された故障点検出測定制御装置。
【請求項３】
前記電流計センサーと、前記変換器と、前記３点セレクトスイッチを数セット有することを特徴とする請求項１に記載された故障点検出測定制御装置。
【請求項４】
前記シーケンサーの出力側に３点セレクトスイッチを設けることで、自動、手動、切断として使用回路を選択できることを特徴とする請求項１に記載された故障点検出測定制御装置。
【請求項５】
前記電流計センサーを電圧計、回転計、振動計、温度計等のセンサーへ付け替えることを特徴とする請求項１に記載された故障点検出測定制御装置。